(57)【特許請求の範囲】
【請求項１】
バーナを支持するコンロ本体と、コンロ本体の上面を覆うと共に前記バーナの一部を露出させるバーナ用開口を有する天板と、該天板上に載置されて前記バーナ上に被加熱物を支持する五徳とを備え、
前記五徳は、環状の五徳枠と、該五徳枠の周方向に所定間隔を存して固定されて被加熱物を載置する複数の五徳爪とを備え、
前記バーナは、一部が前記バーナ用開口を介して天板上に露出するバーナボディと、該バーナボディ上に載置するバーナヘッドとを備え、
該バーナヘッドは、前記バーナボディに着座させる環状壁と、該環状壁における前記五徳爪に対応する位置を除く領域の周方向に間隔を存して多数形成された第１の炎孔と、前記環状壁における前記五徳爪に対応する位置に形成された第２の炎孔とを備えたガスコンロにおいて、
前記五徳は、前記五徳枠の内方に突出する突出部を備え、
前記五徳枠は、前記バーナボディの外周面に装着自在となる形状に形成され、
前記バーナボディは、その外周面に、前記五徳の突出部を係止して前記五徳爪を前記第２の炎孔に対応する位置に位置決めする係止部を備えることを特徴とするガスコンロ。
【請求項２】
前記バーナのバーナボディは、前記コンロ本体に支持されるボディベースと、該ボディベースの上端に連結されたボディトップとを備え、
該ボディトップは、前記バーナ用開口を介して前記天板上に露出することにより前記五徳枠が装着される筒状の外周壁と、該外周壁の上端に形成されて前記バーナヘッドの環状壁を載置する載置面と、前記炎孔から噴出する燃料ガスに点火する点火電極を取り付け収容すべく前記外周壁の内側に設けられた点火電極収容室とを備え、
前記係止部は、前記ボディトップの外周壁の外面に形成されていることを特徴とする請求項１記載のガスコンロ。
【請求項３】
前記五徳爪は、前記五徳枠に連結する基部と、該基部からバーナに向かって延びて被加熱物が着座する延出部とを備え、
前記五徳枠の前記突出部は、前記五徳爪の基部の一部により形成されていることを特徴とする請求項１又は２記載のガスコンロ。
【請求項４】
前記五徳枠の前記突出部は、前記五徳枠の一部をその内方に張り出すことにより形成されることを特徴とする請求項１又は２記載のガスコンロ。
【発明の詳細な説明】
【技術分野】
【０００１】
本発明は、ガスコンロに関する。
【背景技術】
【０００２】
一般に、ガスコンロは天板に形成されたバーナ用開口から上部が露出するバーナを備えている。バーナは、燃料ガスと一次空気とを混合して混合ガスを生成する混合管と、該混合管に連設された筒状のバーナボディと、該バーナボディの上に載置されたバーナヘッドとで構成されている。
【０００３】
バーナボディは、その内部に混合ガスを分布させる分布室を備え、この分布室の上部にバーナヘッドが配設される。バーナヘッドは、その外周縁の下面に沿った環状壁を備え、バーナボディの上に載置したとき、該環状壁がバーナボディの外周壁の上端周面に当接する。バーナヘッドの環状壁には、その周方向に互に間隔を存して多数の炎孔が形成されている。この多数の炎孔からは、分布室に供給される混合ガスが噴出し、炎孔から噴出する混合ガスを燃焼させることにより火炎を形成する。
【０００４】
また、バーナの周囲の天板上には五徳が設けられている。五徳は、鍋等の被加熱物をバーナ上に支持するための複数の五徳爪を備えている。各五徳爪は環状の五徳枠に固定されてバーナの周方向に沿って所定間隔を存して複数設けられている。
【０００５】
夫々の五徳爪はバーナに向かって延び、その先端が炎孔近傍に位置する。このため、五徳爪の先端にバーナの火炎が当たり（以下、爪炙りという）、バーナの燃焼性能が悪化するという問題がある。
【０００６】
そこで、五徳爪に対応する位置においては、他の位置と異なる炎孔を設けて、五徳の爪炙りを防止することが行われている。具体的な例として、五徳爪に対応する位置の炎孔を、他の位置の炎孔よりも小さく形成し、五徳爪に対応する位置の火炎を小さくして爪炙りを防止したものがある（例えば、特許文献１参照）。
【０００７】
ところで近年では、ガラス製や厚手金属製の平板を天板に用いて掃除のし易さや美観の向上が図られている。これに伴い、五徳爪を固定する環状の五徳枠を、バーナに近接する位置に設けて目立たなくすることが行われている。具体的には、天板から露出するバーナボディの外周面と天板に形成されたバーナ用開口の内周縁との隙間を円環状の金属板であるバーナリングで覆い、五徳枠をバーナリングの外周縁と同心の円環状に形成してバーナリングの外周に合致させることが行われている（例えば特許文献２参照）。
【０００８】
これによれば、バーナリングの外側に近接して五徳枠が位置し、五徳枠を目立たなくして美観を向上させることができるが、五徳枠の形状をバーナリングに対応する円環状とした場合には、五徳のバーナに対する回転を防止する必要がある。
【０００９】
そこで、バーナリングの外周縁に形成した切欠に五徳枠の内周の突起（五徳爪の基部の一部を五徳枠の内周側に突出させた部分）を係止させることで、バーナに対する五徳の回転を防止したガスコンロが提案されている（例えば、特許文献３参照）。
【００１０】
この種のガスコンロでは、点火電極に対応するターゲットがバーナの径方向に突出していることがあり、ターゲットと五徳爪とを同一直線状に配置することで外観を向上させることも行われる。このことにより、五徳のバーナに対する回転防止は、五徳爪と炎孔との位置関係を固定させることができるだけでなく、五徳爪とターゲットとの位置関係を固定できるので好ましい。
【先行技術文献】
【特許文献】
【００１１】
【特許文献１】特開平１−１３９９１０号公報
【特許文献２】特開２０１０−１９６９１３号公報（図１）
【特許文献３】特開２００８−２４９１７８号公報
【発明の概要】
【発明が解決しようとする課題】
【００１２】
しかし、バーナリングの切欠に五徳枠の突起を係止させて五徳の回転を防止する場合には、バーナリングをバーナ用開口の内周縁部に回転不能に固定するための複数の部材が必要であるだけでなく、バーナリングとバーナとを高精度に位置決めする構造が必要がある。このため、バーナとその周囲の構造が複雑となり、部品点数の増加や組立工数の増加等に伴いコストが増加する不都合がある。
【００１３】
また、バーナリングに対する五徳の回転が確実に防止されていても、万一バーナリングとバーナとの間に位置ずれが生じた場合には、バーナと五徳とに位置ずれが生じる不都合がある。
【００１４】
更に、バーナリングは天板の上面に露出する部分の高さ寸法がさほど大きくないために、五徳の一部を係止させる切欠の高さ方向の寸法も十分に大きくすることができず、五徳に鍋等が当たる等の衝撃によって五徳枠の突起がバーナリングの切欠から外れてバーナと五徳とに位置ずれが生じるおそれもある。
【００１５】
上記の点に鑑み、本発明は、構造簡単としてバーナに対する五徳の位置ずれが確実に防止されたガスコンロを提供することを目的とする。
【課題を解決するための手段】
【００１６】
かかる目的を達成するために、本発明は、バーナを支持するコンロ本体と、コンロ本体の上面を覆うと共に前記バーナの一部を露出させるバーナ用開口を有する天板と、該天板上に載置されて前記バーナ上に被加熱物を支持する五徳とを備え、前記五徳は、環状の五徳枠と、該五徳枠の周方向に所定間隔を存して固定されて被加熱物を載置する複数の五徳爪とを備え、前記バーナは、一部が前記バーナ用開口を介して天板上に露出するバーナボディと、該バーナボディ上に載置するバーナヘッドとを備え、該バーナヘッドは、前記バーナボディに着座させる環状壁と、該環状壁における前記五徳爪に対応する位置を除く領域の周方向に間隔を存して多数形成された第１の炎孔と、前記環状壁における前記五徳爪に対応する位置に形成された第２の炎孔とを備えたガスコンロにおいて、前記五徳は、前記五徳枠の内方に突出する突出部を備え、前記五徳枠は、前記バーナボディの外周面に装着自在となる形状に形成され、前記バーナボディは、その外周面に、前記五徳の突出部を係止して前記五徳爪を前記第２の炎孔に対応する位置に位置決めする係止部を備えることを特徴とする。
【００１７】
上記構成による本発明のガスコンロは、五徳の五徳枠をバーナボディの外周面に装着することによりバーナボディの径方向への五徳の位置ずれが防止される。更に、五徳枠の突出部がバーナボディの係止部に係止されることにより五徳のバーナボディに対する回転が防止される。
【００１８】
これによれば、五徳はバーナボディにより直接的に移動と回転が不能な状態に位置決めされるので、従来のようにバーナリング等の部材を介さずに確実に位置決めされる。しかも、バーナボディは、例えば従来のバーナリングに比べて高さ方向に大きな係止部を形成することができるので、五徳に衝撃が加えられてもバーナボディに対する位置ずれは極めて生じ難い。
【００１９】
このように、本発明によれば、五徳を位置決めするための部材が不要となり、部品点数が増加することがなく構造簡単としてバーナに対する五徳の位置ずれを確実に防止することができる。よって、第２の炎孔に対して五徳爪が位置ずれすることもなく、爪炙り等によるバーナの燃焼性能の悪化を確実に防止することができる。
【００２０】
また、本発明において、前記バーナのバーナボディは、前記コンロ本体に支持されるボディベースと、該ボディベースの上端に連結されたボディトップとを備え、該ボディトップは、前記バーナ用開口を介して前記天板上に露出することにより前記五徳枠が装着される筒状の外周壁と、該外周壁の上端に形成されて前記バーナヘッドの環状壁を載置する載置面と、前記炎孔から噴出する燃料ガスに点火する点火電極を取り付け収容すべく前記外周壁の内側に設けられた点火電極収容室とを備え、前記係止部は、前記ボディトップの外周壁の外面に形成されていることを特徴とする。
【００２１】
本発明によれば、ボディベースの上端に載置されたボディトップが天板上に露出する。このボディトップの内部には点火電極収容室が設けられている。そして、点火電極が点火電極収容室内に取り付けられる。
【００２２】
この構成において、五徳は、その五徳枠がボディトップの外周壁の外面に装着され、突出部がボディトップの外周壁の外面に形成された係止部に係止される。
【００２３】
ここで、ボディベースの上端に連結されているボディトップは、万一比較的強い衝撃が付与されるとボディベースに対して回転方向に位置ずれするおそれがある。しかし、このような位置ずれが生じても、五徳がボディトップに対して確実に位置決めされており、且つ、点火電極がボディトップに取り付けられていることにより、五徳爪と第２の炎孔との位置関係だけでなく、五徳と点火電極との位置関係もずれることがない。よって、バーナの良好な燃焼を維持することができる。
【００２４】
また、本発明において、前記五徳爪は、前記五徳枠に連結する基部と、該基部からバーナに向かって延びて被加熱物が着座する延出部とを備え、前記五徳枠の前記突出部は、前記五徳爪の基部の一部により形成されていることを特徴とする。
【００２５】
これによれば、五徳爪の基部を例えば溶接等により五徳枠に連結固定する際に、基部の一部を五徳枠の内方に突出させればよく、極めて簡単に突出部を形成することができる。
【００２６】
また、本発明において、前記五徳枠の前記突出部は、前記五徳枠の一部をその内方に張り出すことにより形成されることを特徴とする。
【００２７】
これによれば、五徳枠を例えばプレス成型等により形成する際に、五徳枠の内周縁の一部を内方に張り出し成形すればよく、極めて簡単に突出部を形成することができる。
【図面の簡単な説明】
【００２８】
【図１】本発明の実施形態のガスコンロの要部断面図。
【図２】本実施形態におけるバーナのボディトップを示す斜視図。
【図３】本実施形態におけるバーナの炎孔を示す拡大説明図。
【図４】本実施形態における五徳の平面図。
【図５】本実施形態における五徳の位置決め状態を示す平面図。
【図６】本実施形態における要部の変形例を示す平面図。
【図７】本実施形態における要部の変形例を示す平面図。
【図８】本実施形態における要部の変形例を示す平面図。
【図９】本実施形態における要部の変形例を示す平面図。
【図１０】本実施形態における要部の変形例を示す平面図。
【図１１】本実施形態における要部の変形例を示す平面図。
【発明を実施するための形態】
【００２９】
本発明の一実施形態を図面に基づいて説明する。本実施形態のガスコンロ１は、図１に示すように、上方開放の矩形箱体であるコンロ本体２（図においては内部空間のみを示している）にバーナ３が収容されている。コンロ本体２の開放された上面は、ガラス製又は厚手金属製の上面が平坦な天板４により覆われている。天板４上には五徳５が載置されている。五徳５は、円環状の五徳枠６と、複数の五徳爪７とにより構成されている。
【００３０】
なお、天板４は、コンロ本体２の周縁に係止された状態で載置され、バーナ３に対応する所定部分には円形に開口するバーナ用開口８が形成されている。
【００３１】
バーナ３は、図１に示すように、混合管９と、バーナボディ１０と、バーナヘッド１１とを備えている。混合管９は、図示しないガスノズルから噴出する燃料ガスを一次空気と共に取り入れることにより燃料ガスと一次空気との混合ガスを生成する。混合管９の下流端には、バーナボディ１０が連設されている。
【００３２】
バーナボディ１０は、金属製板材により形成されたボディベース１２と、ダイカストにより形成されたボディトップ１３とを備えている。ボディベース１２は混合管９と共に天板４の下方に位置している。ボディトップ１３は、その略上半部がバーナ用開口８を介して天板４よりも上方に突出するように設けられている。ボディトップ１３の内部には点火電極１４が設けられている。
【００３３】
ボディベース１２は、外筒１５と、外筒の内側に設けられた内筒１６とを備え、外筒１５と内筒１６との間に形成される環状の空間が混合管９に連通する第１分布室１７を構成している。
【００３４】
ボディベース１２の外筒１５は、点火電極１４の配置されている側（本実施形態では混合管９側）が内筒１６に接近する方向に偏心して設けられている。なお、本実施形態においては、ボディベース１２の外筒１５の偏心により、混合管９側において外筒１５と内筒１６とを接近させたものを示したが、これに限るものではない。例えば、図示しないが、混合管９の反対側において外筒１５と内筒１６とを接近させてもよく、混合管９の延出方向に交差する側方において外筒１５と内筒１６とを接近させてもよい。この場合、外筒１５と内筒１６とを接近させる側を五徳５の何れかの五徳爪７の位置に合致させることが好ましい。
【００３５】
また、ボディベース１２には、環状の底部隆起部１８が形成されている。内筒１６は、その下端が底部隆起部１８の上端にカシメ連結されている。そして、内筒１６の上端は、外筒１５の上端よりも上方に突出している。
【００３６】
ボディベース１２の上端には、ボディトップ１３が連結されている。ボディトップ１３は、その底部側開口１９に外筒１５の上端を挿入し、外筒１５の上端部を外側に折り曲げることでボディベース１２に連結されている。
【００３７】
ボディトップ１３は、外周壁２０と内周壁２１とで二重構造の筒体であり、図１及び図２に示すように、その上端面にバーナヘッド１１を載置する環状の載置面２２を備えている。内周壁２１の内側には、ボディベース１２の第１分布室１７の上方に連通する第２分布室２３が形成される。
【００３８】
図１に示すように、ボディトップ１３は前述した通り天板４から露出するが、ダイカストによって形成されているので美観が高く、また、変形強度も高いことにより天板４から露出させるのに好適である。
【００３９】
また、ボディトップ１３の外周壁２０の内側には、点火電極１４を収容する点火電極収容室２４が設けられている。点火電極収容室２４は、ボディトップ１３の外周壁２０と内周壁２１との間で縦長の空間を形成している。点火電極収容室２４は、第２分布室２３との間が内周壁２１により仕切られている。これにより、第２分布室２３の混合ガスが点火電極収容室２４内に流入することがない。
【００４０】
点火電極１４は、ボディトップ１３の下端（天板４の下側）に連設された舌片２５及び支持部材２６によりボディトップ１３に取り付けられた状態で、点火電極収容室２４に収容されている。
【００４１】
点火電極収容室２４は、ボディベース１２の外筒１５を内筒１６に対して偏心させることによって形成された比較的広いスペースに設けられるため、ボディトップ１３の外周壁２０の外周面には、点火電極収容室２４による張り出し等が形成されることがない。しかも、点火電極収容室２４の内部の点火電極１４は殆ど視認されないので、外観を向上させることができる。
【００４２】
なお、詳しくは図示しないが、ボディトップ１３には、図２に一部を示すように、熱電対等の炎検知器２７が取り付けられている。炎検知器２７も、点火電極１４と同様にボディトップ１３に取り付けられ、点火電極収容室２４と同様に形成された炎検知器収容部に収容されている。
【００４３】
バーナヘッド１１は、図１に示すように外周下面に垂設された環状壁２８と、点火電極１４覆うように外側に張り出すターゲット部２９と、中央部から下方に向かって延びる中央筒部３０とを備えている。
【００４４】
バーナヘッド１１は、環状壁２８がボディトップ１３の上端の載置面２２に載置される。この状態で、中央筒部３０がボディベース１２の内筒１６に気密に挿着される。このとき、ボディトップ１３の内周壁２１と、ボディベース１２の内筒１６の略上半部と、バーナヘッド１１の中央筒部３０の略上半部とでボディトップ１３に第２分布室２３が形成される。
【００４５】
また、バーナヘッド１１の中央筒部３０の内方には、鍋底温度センサ３１が設けられている。鍋底温度センサ３１は五徳５が支持する鍋等の底部に当接してその温度を検出する。
【００４６】
バーナヘッド１１の上部には、中央部に鍋底温度センサ３１が貫通する透孔が形成された円盤状のカバー部材３２が取り付けられている。カバー部材３２は、バーナヘッド１１の中央筒部３０の上部を覆ってコンロ本体２内部への異物の落下を防止している。また、前記透孔は、バーナ３の燃焼に必要な二次空気の一部を流通させている。
【００４７】
なお、本実施形態においては、ボディベース１２の外筒１５が、混合管９側であって且つ点火電極１４側において内筒１６に接近する方向に偏心し、更に、外筒１５と内筒１６とが接近する側を五徳５の五徳爪７の位置に合致させている。こうすることにより、五徳爪７とターゲット部２９とが同一直線状に並び（図５参照）外観が向上する。
【００４８】
バーナヘッド１１の環状壁２８には、周方向に沿って配設されて径方向に延びる多数の溝が形成されている。これらの溝により、ボディトップ１３の上端の載置面２２に環状壁２８の下縁が当接したとき、バーナヘッド１１の外周に沿って多数の炎孔が形成される。これらの炎孔は、図３に一部を示すように、五徳爪７に対応する位置を除く領域に配設された調理用炎孔３３（第１の炎孔）と、五徳爪７に対応する位置に配設された五徳用炎孔３４（第２の炎孔）とで構成されている。
【００４９】
五徳用炎孔３４は、調理用炎孔３３よりも高さ方向の長さが小さく形成されており、混合ガスの噴出量を抑えることにより調理用炎孔３３よりも小さな火炎が形成されるようになっている。五徳用炎孔３４の炎が小さく維持されることにより、五徳爪７に火炎が触れる所謂爪炙りが防止される。なお、調理用炎孔３３及び五徳用炎孔３４は夫々に隣接する保炎孔３３ａ，３４ａを備えて火移り性が確保されている。
【００５０】
五徳５は、図４に示すように、複数（本実施形態においては６つ）の五徳爪７が円環状の五徳枠６の周方向に所定間隔を存して固定されることによって形成されている。五徳枠６は、図１及び図５に示すように、ボディトップ１３の外周壁２０の外面に装着される。
【００５１】
五徳爪７は、図１に示すように、五徳枠６に溶接等により連結される基部７ａと、基部７ａの上端からバーナヘッド１１の上方に向かって延びる延出部７ｂとを備え、延出部７ｂの上縁に鍋等の被加熱物を着座させることで、バーナヘッド１１の上方に被加熱物を支持する。また、五徳爪７の基部７ａの外側下縁には、下方に突出して天板４に当接する突起７ｃが形成されている。
【００５２】
五徳５には、図４に示すように、五徳枠６の内方に突出する突出部３５が形成されている。突出部３５は、五徳爪７を五徳枠６に固定する製造工程において、五徳爪７の基部７ａの内側先端を五徳枠６の内方に僅かに突出させ、この状態で五徳爪７の基部７ａを五徳枠６上に溶接等により接合して形成される。これにより、突出部３５は極めて簡単に形成される。
【００５３】
一方、図５に示すように、ボディトップ１３の外周壁２０の外面には、五徳５の突出部３５を係止する係止部３６が形成されている。この係止部３６は、ボディトップ１３の外周壁２０の外面を周方向に沿って円弧状に凹入させた形状とされ、五徳５の突出部３５を係止することにより、図３に一部を示すように、五徳爪７を五徳用炎孔３４に対応する位置に位置決めする。
【００５４】
即ち、五徳５は、その五徳枠６がボディトップ１３の外周壁２０の外面に装着されることにより、ボディトップ１３の径方向への水平移動が不能とされる。更に、五徳５は、その突出部３５がボディトップ１３の外周壁２０の外面に形成された係止部３６により、ボディトップ１３に対する回転が不能とされる。このように、五徳５がボディトップ１３に直接的に位置決めされることにより、五徳爪７と五徳用炎孔３４との位置関係及び五徳爪７とバーナヘッド１１のターゲット部２９との位置関係が、所定の位置関係に確実且つ強固に維持される。
【００５５】
なお、本発明による五徳の突出部とボディトップの係止部とは、図５に示すもの以外に、他の形態として図６〜図１１に示す構成が挙げられ、この何れによっても同様の効果を得ることができる。
【００５６】
図６に示すものは、ボディトップ１３の外周壁２０の外面の径方向に対向する両側に一対の係止部３６を設け、各係止部３６に五徳５の突出部３５を係止させた。
【００５７】
図７に示すものは、ボディトップ１３の外周壁２０の外面の径方向に対向する両側に一対の係止部３６を設け、五徳５には、五徳爪７の基部７ａによる突出部３５と共に五徳枠６の内周円の一部を内側に突出させた突出片３７（突出部）を設けた。突出部３５と突出片３７とを共にボディトップ１３の各係止部３６に係止させることにより一層強固に位置決めされる。
【００５８】
図８に示すものは、ボディトップ１３の外周壁２０の外面に所定間隔を存して４つの平坦面を形成してその夫々を係止部３６とし、五徳５の各突出部３５を係止部３６の一側端に係止させるようにした。
【００５９】
図９に示すものは、ボディトップ１３の外周壁２０の外面に所定間隔を存して４つの平坦面を係止してその夫々を係止部３６とし、五徳５の各突出部３５を係止部３６の中央部に係止させるようにした。
【００６０】
図１０に示すものは、何れか２つの五徳爪７の基部７ａにより一対の突出部３５を形成し、ボディトップ１３の外周壁２０の外面に、各突出部３５に対応する一対の切欠き３８（係止部）を設けることによって、各切欠き３８に各突出部３５を係止させたものである。
【００６１】
図１１に示すものは、ボディトップ１３の外周壁２０の外面に所定間隔を存して形成した４つの平坦面による係止部３６に、五徳枠６の内周縁に張り出し形成した４つの突出片３９（突出部）を係止させたものである。これによれば、ボディトップ１３の外周壁２０の外周形状に対応するように五徳枠６の内周縁形状を打ち抜き成形等により突出片３９を張り出し形成すればよく、極めて製造容易となる。
【符号の説明】
【００６２】
１…ガスコンロ、２…コンロ本体、３…バーナ、４…天板、５…五徳、６…五徳枠、７…五徳爪、７ａ…基部、７ｂ…延出部、８…バーナ用開口、１０…バーナボディ、１１…バーナヘッド、１２…ボディベース、１３…ボディトップ、１４…点火電極、２０…外周壁、２２…載置面、２４…点火電極収容室、２８…環状壁、３３…調理用炎孔（第１の炎孔）、３４…五徳用炎孔（第２の炎孔）、３５…突出部、３６…係止部、３７，３９…突出片（突出部）、３８…切欠き（係止部）。
【図１】
0005844789.tif 000002
【図２】
0005844789.tif 000003
【図３】
0005844789.tif 000004
【図４】
0005844789.tif 000005
【図５】
0005844789.tif 000006
【図６】
0005844789.tif 000007
【図７】
0005844789.tif 000008
【図８】
0005844789.tif 000009
【図９】
0005844789.tif 000010
【図１０】
0005844789.tif 000011
【図１１】
0005844789.tif 000012